(57)【要約】  本発明は、新規農作物品種の育種の技術分野に属し、具体的には、倍数体２系雑種イネの育種方法に関する。前記育種方法は、ＰＭｅＳ遺伝子特性を有する四倍体イネ光・温度感受性遺伝子雄性不稔系とＰＭｅＳ遺伝子特性を有する四倍体イネ回復系を確定することと、インディカ型不稔／ジャポニカ型回復、または、ジャポニカ型不稔／インディカ型回復の雑種の組み合わせを交雑組とすることと、四倍体イネ光・温度感受性遺伝子雄性不稔系と四倍体イネ回復系を交雑されることによって四倍体イネ雑種を育成することと、安定している四倍体イネ雑種組を育種し、倍数体２系雑種イネ組と確定することとを含む。本発明の育種方法では、倍数体イネの雑種強勢を利用することによって、従来の二倍体雑種強勢から倍数体“２系”交配イネの雑種強勢へ転換させることができ、本発明の育種方法によれば、穂大粒大かつ産量も多い倍数体２系交雑稲の新品種を育種することができる。【選択図】図１
2018533961.tif 000002
【特許請求の範囲】
【請求項１】
ア）ＰＭｅＳ遺伝子特性を有する四倍体イネ光・温度感受性遺伝子雄性不稔系とＰＭｅＳ遺伝子特性を有する四倍体イネ２系回復系を確定することと、
イ）インディカ型不稔／ジャポニカ型回復、または、ジャポニカ型不稔／インディカ型回復の雑種の組み合わせを用いて、インディカ型不稔系とジャポニカ型回復系、または、ジャポニカ型不稔系とインディカ型回復系を交雑組とすることと、
ウ）前記ア）に記載の四倍体イネ光・温度感受性遺伝子雄性不稔系について、生育期、形態性状、開花習慣、不稔と可稔の転換特性、異配和合性、及び交雑組の雑種強勢を測定し分析することと、
エ）前記ア）に記載の四倍体イネ２系回復系について、生育期、形態性状、開花習慣、不稔と可稔の転換特性、異配和合性、及び交雑組の雑種強勢を測定し分析することと、
オ）異なる四倍体イネ光・温度感受性遺伝子雄性不稔系と四倍体イネ２系回復系を選択し、異なる組み合わせの四倍体イネ雑種を育成することと、
カ）前記オ）で育成し得た異なる組み合わせの四倍体イネ雑種について、生育期、形態性状、結実率、抗性、及び開花習慣を四倍体イネ２系回復系または対照群である二倍体雑種イネと比較することと、
キ）優れた形態性状、適切な生育期、強い抗性、および結実率８０％以上を有し、四倍体イネ２系回復系または対照群である二倍体雑種イネより３％以上増産できる四倍体イネ雑種を選択し、四倍体２系雑種イネ組として確定することと、
を含むことを特徴とする倍数体２系雑種イネの育種方法。
【請求項２】
前記ＰＭｅＳ遺伝子特性を有する四倍体イネ光・温度感受性遺伝子雄性不稔系は、ＰＳ００１、ＰＳ００２、ＰＳ００３、ＰＳ００４、ＰＳ００５、ＰＳ００６、ＰＳ００７、ＰＳ００８、ＰＳ００９、ＰＳ０１０、ＰＳ０１１、ＰＳ０１２、ＰＳ０１３、ＰＳ０１４、ＰＳ０１５、ＰＳ０１６、ＰＳ０１７、ＰＳ０１８、ＰＳ０１９、ＰＳ０２０、ＰＳ０２１、ＰＳ０２２、ＰＳ０２３、ＰＳ０２４、ＰＳ０２５、ＰＳ０２６、ＰＳ０２７、ＰＳ０２８、ＰＳ０２９、ＰＳ０３０、ＰＳ０３１、ＰＳ０３２、ＰＳ０３３、ＰＳ０３４、ＰＳ０３５、ＰＳ０３６、ＰＳ０３７、ＰＳ０３８、ＰＳ０３９、ＰＳ０４０、ＰＳ０４１、ＰＳ０４２、ＰＳ０４３、ＰＳ０４４、ＰＳ０４５、ＰＳ０４６、ＰＳ０４７、ＰＳ０４８、ＰＳ０４９、ＰＳ０５０、ＰＳ０５１、ＰＳ０５２、ＰＳ０５３、ＰＳ０５４、ＰＳ０５５、ＰＳ０５６、ＰＳ０５７、ＰＳ０５８、ＰＳ０５９、ＰＳ０６０、ＰＳ０６１、ＰＳ０６２、ＰＳ０６３、ＰＳ０６４、ＰＳ０６５、ＰＳ０６６、ＰＳ０６７、またはＰＳ０６８という６８種の品系から選択されることを特徴とする請求項１に記載の倍数体２系雑種イネの育種方法。
【請求項３】
前記ＰＭｅＳ遺伝子特性を有する四倍体イネ光・温度感受性遺伝子雄性不稔系は、ＰＳ００１、ＰＳ００２、またはＰＳ００３から選択されることを特徴とする請求項２に記載の倍数体２系雑種イネの育種方法。
【請求項４】
前記ＰＭｅＳ遺伝子特性を有する四倍体イネ２系回復系は、ＰＲ００１、ＰＲ００２、ＰＲ００３、ＰＲ００４、ＰＲ００５、ＰＲ００６、ＰＲ００７、ＰＲ００８、ＰＲ００９、ＰＲ０１０、ＰＲ０１１、ＰＲ０１２、ＰＲ０１３、ＰＲ０１４、ＰＲ０１５、ＰＲ０１６、ＰＲ０１７、ＰＲ０１８、ＰＲ０１９、ＰＲ０２０、ＰＲ０２１、ＰＲ０２２、ＰＲ０２３、ＰＲ０２４、ＰＲ０２５、ＰＲ０２６、ＰＲ０２７、ＰＲ０２８、ＰＲ０２９、ＰＲ０３０、ＰＲ０３１、ＰＲ０３２、ＰＲ０３３、ＰＲ０３４、ＰＲ０３５、ＰＲ０３６、ＰＲ０３７、ＰＲ０３８、ＰＲ０３９、ＰＲ０４０、ＰＲ０４１、ＰＲ０４２、ＰＲ０４３、ＰＲ０４４、ＰＲ０４５、ＰＲ０４６、ＰＲ０４７、ＰＲ０４８、ＰＲ０４９、ＰＲ０５０、ＰＲ０５１、ＰＲ０５２、ＰＲ０５３、ＰＲ０５４、ＰＲ０５５、ＰＲ０５６、ＰＲ０５７、ＰＲ０５８、ＰＲ０５９、ＰＲ０６０、ＰＲ０６１、ＰＲ０６２、ＰＲ０６３、ＰＲ０６４、ＰＲ０６５、ＰＲ０６６、ＰＲ０６７、ＰＲ０６８、ＰＲ０６９、ＰＲ０７０、ＰＲ０７１、ＰＲ０７２、ＰＲ０７３、ＰＲ０７４、ＰＲ０７５、ＰＲ０７６、ＰＲ０７７、ＰＲ０７８、ＰＲ０７９、ＰＲ０８０、ＰＲ０８１、ＰＲ０８２、ＰＲ０８３、ＰＲ０８４、ＰＲ０８５、ＰＲ０８６、ＰＲ０８７、ＰＲ０８８、ＰＲ０８９、ＰＲ０９０、ＰＲ０９１、ＰＲ０９２、ＰＲ０９３、ＰＲ０９４、ＰＲ０９５、ＰＲ０９６、ＰＲ０９７、またはＰＲ０９８という９８種の品系から選択されることを特徴とする請求項１に記載の倍数体２系雑種イネの育種方法。
【請求項５】
前記ＰＭｅＳ遺伝子特性を有する四倍体イネ２系回復系は、ＰＲ００５、ＰＲ０２７、またはＰＲ０７６から選択されることを特徴とする請求項４に記載の倍数体２系雑種イネの育種方法。
【請求項６】
前記キ）に記載の対照群である二倍体雑種は、豊両優４号であることを特徴とする請求項１に記載の倍数体２系雑種イネの育種方法。
【請求項７】
染色体２ｎ＝４Ｘ＝４８であり、生長がよく、分蘖が多く、イネの穂が長く、穂粒数が多く、抗性が強く、結実率が８０％以上であるという特徴を有し、ＰＨＸＸＸと命名され、その中で、ＸＸＸは３位数字である請求項１乃至６の何れか１項に記載の倍数体２系雑種イネの育種方法によって育種し得る四倍体雑種イネ。
【発明の詳細な説明】
【技術分野】
【０００１】
本発明は、現代農業の新規農作物品種の育種の技術分野に属し、具体的には、倍数体２系雑種イネ及びその育種方法に関する。
【背景技術】
【０００２】
雑種強勢は、生物圏における共通の現象である。１９７０年代に、Ｙｕａｎ  Ｌｏｎｇｐｉｎｇに代表される科学者によって完成されたイネ３系（雄性不稔系、雄性不稔維持系、および雄性不稔回復系）によって交雑し形成した３系雑種イネは、第２次の緑色革命と称され、中国の米生産促進に大きな役割を果たしてきた。その後、Ｓｈｉ  Ｍｉｎｇｓｏｎｇ（１９７３）が発見した湖北光感受性雄性不稔系及びその２系回復系は、イネの雑種強勢を更なる高いレベルに向上させた。しかし、現在、世界中で植えられている稲は、二倍体であり、すなわち、その細胞中に、２組の染色体のみを有し、２ｎ＝２Ｘ＝２４である。高茎品種から高茎品種への変更といったような第１次の緑色革命、及び通常の米品種から交雑米品種への変更といったような第２次の緑色革命によって、大幅な増産が達成されてから数十年が経過した後、１９８０年代中期以来、米生産は長い間にわたり高産化を巡ってうろうろしている。
【０００３】
しかし、異なる年代で育種された品種の間で、増産幅は、５％を超えることができず、世界中の食糧危機を緩和するように２０５０年までに５０％増産するという要求を満たすことが難しい。そのため、Ｃａｉ  ＤｅｔｉａｎおよびＹｕａｎ  Ｌｏｎｇｐｉｎｇらは（２００１）、進化生物学の観点から「遠隔交雑と倍数体の二重の利点を利用するスーパーイネの繁殖」という新しい戦略を提案した。２０年の研究にわたって、倍数体イネの亜種間、種間、およびゲノム間の雑種強勢利用という三段戦略を決定して、倍数体イネ育種の結実率低下のボトルネック問題の解決を最も重要な問題とみなし解決するようになってきた。その後に、組織培養およびコルヒチン処理と組み合わせ、倍数体イネを効率的に誘導し、「倍数体減数分裂安定性ＰＭｅＳ（ＰＭｅＳは、倍数体減数分裂安定性の英語略語である）」という高結実系を育種することができ、倍数体イネ育種の結実率低下というようなボトルネック問題が解消され、倍数体イネの育種が急速に進展してきた。大量の倍数体イネ材料が既に形成され、一部の倍数体イネ通常品系は、品種地域試験段階に入ってきた。倍数体雑種強勢を十分に利用し、倍数体イネ不稔系、倍数体イネ回復系を育種し、そして倍数体雑種を調製することができれば、米生産を新しい段階に押し上げ、世界の食糧安全保障を保護する上で極めて重要な役割を果たすだろう。例えば、小麦、綿、菜の花は、二倍体の野生種から栽培の四倍体または六倍体に進化させたら、その生産量を倍に増加することができ、そのように、４組または６組の染色体を持つ倍数体イネを培養すれば、生産量を５０％増産する可能性があり、世界中の食糧危機を根本的に緩和することができるだろう。
【０００４】
本発明は、倍数体の茎が太く強く、花が大きく、穂も粒も大きく、花粉量が多く、花粉粒が大きく、結実率も高いなどといったような強大な雑種強勢を利用し、従来の二倍体雑種強勢と結合して倍数体“２系”雑種稲の雑種強勢に転換し、稲の育種の新しいルートを導いた。倍数体イネ２系不稔系と回復系を研究し、交雑組を組むことによって、細胞中に含む染色体４Ｘ＝４８である四倍体不稔系、回復系および交雑稲品系が形成される。したがって、インディカ型―ジャポニカ型の亜種交雑の際の不和合性を克服できるだけではなく、比較的に遠縁交雑と倍数体の２重強勢によるさらなる増産能力と抗性優位性を有し、世界中の食糧危機の解決に重大な意味を有する。
【発明の概要】
【発明が解決しようとする課題】
【０００５】
本発明の目的として、倍数体の茎が太く強く、花が大きく、穂も粒も大きく、花粉量が多く、花粉粒が大きく、結実率も高いなどといったような強大な雑種強勢を利用し、従来の二倍体雑種強勢と結合して倍数体“２系”雑種稲の雑種強勢に転換する倍数体２系雑種イネの育種方法を提供することである。
【０００６】
本発明の他の目的として、ＰＭｅＳ遺伝子特性を有する四倍体イネ光・温度感受性遺伝子雄性不稔系とＰＭｅＳ遺伝子特性を有する四倍体イネ２系回復系を利用して、上記の育種方法によって育種される四倍体２系雑種イネを提供することである。
【課題を解決するための手段】
【０００７】
上記の本発明の目的を達成するために、本発明は、下記の技術案を用いる。
【０００８】
本発明の一態様によれば、倍数体２系雑種イネの育種方法を提供し、下記のことを含む。
ア）ＰＭｅＳ遺伝子特性を有する四倍体イネ光・温度感受性遺伝子雄性不稔系とＰＭｅＳ遺伝子特性を有する四倍体イネ２系回復系を確定することと、
イ）インディカ型不稔／ジャポニカ型回復、または、ジャポニカ型不稔／インディカ型回復の雑種の組み合わせを用いて、インディカ型不稔系とジャポニカ型回復系、または、ジャポニカ型不稔系とインディカ型回復系を交雑組とすることと、
ウ）前記ア）に記載の四倍体イネ光・温度感受性遺伝子雄性不稔系について、生育期、形態性状、開花習慣、不稔と可稔の転換特性、異配和合性、及び交雑組の雑種強勢を測定し分析することと、
エ）前記ア）に記載の四倍体イネ２系回復系について、生育期、形態性状、開花習慣、不稔と可稔の転換特性、異配和合性、及び交雑組の雑種強勢を測定し分析することと、
オ）異なる四倍体イネ光・温度感受性遺伝子雄性不稔系と四倍体イネ２系回復系を選択し、異なる組み合わせの四倍体イネ雑種を育成することと、
カ）前記オ）で育成し得た異なる組み合わせの四倍体イネ雑種について、生育期、形態性状、結実率、抗性、及び開花習慣を四倍体イネ２系回復系または対照群である二倍体雑種イネと比較することと、
キ）優れた形態性状、適切な生育期、強い抗性、および結実率８０％以上を有し、四倍体イネ２系回復系または対照群である二倍体雑種イネより３％以上増産できる四倍体イネ雑種を選択し、四倍体２系雑種イネ組として確定すること。
【０００９】
また、上記の技術案では、前記ＰＭｅＳ遺伝子特性を有する四倍体イネ光・温度感受性遺伝子雄性不稔系は、ＰＳ００１、ＰＳ００２、ＰＳ００３、ＰＳ００４、ＰＳ００５、ＰＳ００６、ＰＳ００７、ＰＳ００８、ＰＳ００９、ＰＳ０１０、ＰＳ０１１、ＰＳ０１２、ＰＳ０１３、ＰＳ０１４、ＰＳ０１５、ＰＳ０１６、ＰＳ０１７、ＰＳ０１８、ＰＳ０１９、ＰＳ０２０、ＰＳ０２１、ＰＳ０２２、ＰＳ０２３、ＰＳ０２４、ＰＳ０２５、ＰＳ０２６、ＰＳ０２７、ＰＳ０２８、ＰＳ０２９、ＰＳ０３０、ＰＳ０３１、ＰＳ０３２、ＰＳ０３３、ＰＳ０３４、ＰＳ０３５、ＰＳ０３６、ＰＳ０３７、ＰＳ０３８、ＰＳ０３９、ＰＳ０４０、ＰＳ０４１、ＰＳ０４２、ＰＳ０４３、ＰＳ０４４、ＰＳ０４５、ＰＳ０４６、ＰＳ０４７、ＰＳ０４８、ＰＳ０４９、ＰＳ０５０、ＰＳ０５１、ＰＳ０５２、ＰＳ０５３、ＰＳ０５４、ＰＳ０５５、ＰＳ０５６、ＰＳ０５７、ＰＳ０５８、ＰＳ０５９、ＰＳ０６０、ＰＳ０６１、ＰＳ０６２、ＰＳ０６３、ＰＳ０６４、ＰＳ０６５、ＰＳ０６６、ＰＳ０６７、またはＰＳ０６８という６８種の品系から選択される。より好ましいのは、前記ＰＭｅＳ遺伝子特性を有する四倍体イネ光・温度感受性遺伝子雄性不稔系は、ＰＳ００１、ＰＳ００２、またはＰＳ００３という３品系から選択される。
【００１０】
また、上記の技術案では、前記ＰＭｅＳ遺伝子特性を有する四倍体イネ２系回復系は、ＰＲ００１、ＰＲ００２、ＰＲ００３、ＰＲ００４、ＰＲ００５、ＰＲ００６、ＰＲ００７、ＰＲ００８、ＰＲ００９、ＰＲ０１０、ＰＲ０１１、ＰＲ０１２、ＰＲ０１３、ＰＲ０１４、ＰＲ０１５、ＰＲ０１６、ＰＲ０１７、ＰＲ０１８、ＰＲ０１９、ＰＲ０２０、ＰＲ０２１、ＰＲ０２２、ＰＲ０２３、ＰＲ０２４、ＰＲ０２５、ＰＲ０２６、ＰＲ０２７、ＰＲ０２８、ＰＲ０２９、ＰＲ０３０、ＰＲ０３１、ＰＲ０３２、ＰＲ０３３、ＰＲ０３４、ＰＲ０３５、ＰＲ０３６、ＰＲ０３７、ＰＲ０３８、ＰＲ０３９、ＰＲ０４０、ＰＲ０４１、ＰＲ０４２、ＰＲ０４３、ＰＲ０４４、ＰＲ０４５、ＰＲ０４６、ＰＲ０４７、ＰＲ０４８、ＰＲ０４９、ＰＲ０５０、ＰＲ０５１、ＰＲ０５２、ＰＲ０５３、ＰＲ０５４、ＰＲ０５５、ＰＲ０５６、ＰＲ０５７、ＰＲ０５８、ＰＲ０５９、ＰＲ０６０、ＰＲ０６１、ＰＲ０６２、ＰＲ０６３、ＰＲ０６４、ＰＲ０６５、ＰＲ０６６、ＰＲ０６７、ＰＲ０６８、ＰＲ０６９、ＰＲ０７０、ＰＲ０７１、ＰＲ０７２、ＰＲ０７３、ＰＲ０７４、ＰＲ０７５、ＰＲ０７６、ＰＲ０７７、ＰＲ０７８、ＰＲ０７９、ＰＲ０８０、ＰＲ０８１、ＰＲ０８２、ＰＲ０８３、ＰＲ０８４、ＰＲ０８５、ＰＲ０８６、ＰＲ０８７、ＰＲ０８８、ＰＲ０８９、ＰＲ０９０、ＰＲ０９１、ＰＲ０９２、ＰＲ０９３、ＰＲ０９４、ＰＲ０９５、ＰＲ０９６、ＰＲ０９７、またはＰＲ０９８という９８種の品系から選択される。より好ましいのは、前記ＰＭｅＳ遺伝子特性を有する四倍体イネ２系回復系は、ＰＲ００５、ＰＲ０２７、またはＰＲ０７６から選択される。
【００１１】
また、上記の技術案では、前記キ）に記載の対照群である二倍体雑種は、豊両優４号である。
【００１２】
本発明の他の態様によれば、染色体２ｎ＝４Ｘ＝４８であり、生長がよく、分蘖が多く、イネの穂が長く、穂粒数が多く、抗性が強く、結実率が８０％以上であるという特徴を有し、ＰＨＸＸＸと命名され、その中で、ＸＸＸは３位数字である上記の倍数体２系雑種イネの育種方法によって育種し得る四倍体雑種イネを提供する。
【００１３】
本明細書に記載のＰＭｅＳ遺伝子特徴を有する四倍体イネ光・温度感受性遺伝子雄性不稔系（ＰＳ００１〜ＰＳ０６８）の育種過程は、下記の通りである。
【００１４】
（１）ＰＳ００１〜ＰＳ０１０系の育種過程は、下記の通りである。
【化１】
2018533961.tif 000003
【００１５】
（２）ＰＳ０１１〜ＰＳ０４５系の育種過程は、下記の通りである。
【化２】
2018533961.tif 000004
【００１６】
（３）ＰＳ０４６〜ＰＳ０６８系の育種過程は、下記の通りである。
【化３】
2018533961.tif 000005
【００１７】
以下、ＰＳ００６を例として、その育種過程を説明する。
【００１８】
ａ）光・温度感受性遺伝子雄性不稔系であるＨＤ９８０２Ｓと、倍数体減数分裂安定性ＰＭｅＳを有するイネ品系であるＨＮ２０２６−２Ｘを親本として決定した。
【００１９】
ｂ）二倍体光・温度感受性遺伝子雄性不稔系と二倍体ＰＭｅＳ品系を交雑させて、すなわち、二倍体不稔系ＨＤ９８０２ＳとＨＮ２０２６−２Ｘを交雑させた。
【００２０】
ｃ）Ｆ１の雑種イネの幼穂を培養して雑種四倍体Ｆ１−４Ｘに倍増させて、すなわち、ＨＤ９８０２Ｓ×ＨＮ２０２６−２Ｘで交雑した交雑株の、二次分枝分化段階から減数分裂段階までに所属する幼穂を組織培養し、激しく増殖するカルスが形成され、次いで、カルスを二倍培養培地に移してさらに培養し、四倍体雑種イネＦ１−４Ｘに分化させた。
【００２１】
ｄ）Ｆ１−４Ｘと四倍体光・温度感受性遺伝子雄性不稔系ＨＤ９８０２Ｓ−４Ｘを戻し交雑させて、すなわち、上記の倍増して獲得した雑種株を用いて、開花の際に除雄を行い、そして、光・温度感受性遺伝子雄性不稔系ＨＤ９８０２Ｓ−４Ｘ（ＨＤ９８０２Ｓの幼穂を培養しＨＤ９８０２Ｓ−４Ｘに倍増した）と戻し交雑させて、戻し交雑１代目の雑種ＢＣ１Ｆ１を得た。
【００２２】
ｅ）戻し交雑の後代から、四倍体光・温度感受性遺伝子雄性不稔イネ株（Ｓ株、武漢）を選択した。
【００２３】
ｆ）選択した四倍体光・温度感受性遺伝子雄性不稔イネ株の低温短日照の可稔期における稔性を確定し、そして、夏に確定した不稔株のラウートンを海南に移して、低温短日照条件下において稔性を回復させて、自交し結実させて、ＢＣ１Ｆ２を得た。
【００２４】
ｇ）その後、ＢＣ１Ｆ２とその他のＰＭｅＳ遺伝子を有する四倍体イネ品系ＨＮ１６４−４Ｘ（Ｓｇ９９０１２の繁殖後代）とを複合交雑させて、ＲＣＦ１を得た。そして、ＲＣＦ１を自交させることによって、ＲＣＦ２（Ｆ２と略称）を得た。
【００２５】
ｈ）その中から、Ｓ株を選択し自交させてＦ３を得た。雄性不稔系をさらに自交させることによってＦ４を得た。そのように、連続して６代を自交させて、Ｆ８を得た。すなわち、武漢で不稔株を選択して、そのラウートンを海南まで持っていって、培養して、連続して６代を自交させて、Ｆ８を得た。
【００２６】
ｉ）Ｆ８代の四倍体光・温度感受性遺伝子雄性不稔系の安定性を測定して、前記安定性は、染色体数（４Ｘ＝４８であるかどうか）、形態学的特徴、花粉稔性、柱頭形質、光および温度条件下での稔性転換、および四倍体回復株との交雑の異型和合性及び雑種強勢を含む。
【００２７】
ｊ）該安定かつ一貫性のある四倍体イネ不稔系は、四倍体イネ光・温度感受性遺伝子雄性不稔系であることを確定した。前記ｉ）における多数の試験および比較によって選択される雄性不稔系が、安定かつ一貫性のある形態学的特徴を有しており、安定的な不稔性を有しており（不稔性１００％、不稔率９９．５％）、可稔期の結実率が高く（＞４０％）、良好な異型和合性および雑種強勢を有し、四倍体イネ光・温度感受性遺伝子雄性不稔系として決定して、ＰＳ００６と命名した。該四倍体イネＰＳ００６は、茎が太く、葉色が濃緑色であり、一貫性のある形態学的特徴を有する。
【００２８】
以下、ＰＳ０１２を例として、その育種過程を説明する。
【００２９】
ａ）光・温度感受性遺伝子雄性不稔系であるＰＡ６４Ｓと、倍数体減数分裂安定性ＰＭｅＳを有するイネ品系であるＨＮ２０２６−２Ｘを親本として決定した。
【００３０】
ｂ）二倍体光・温度感受性遺伝子雄性不稔系と二倍体ＰＭｅＳ品系を交雑させて、すなわち、二倍体不稔系ＰＡ６４ＳとＨＮ２０２６−２Ｘを交雑させた。
【００３１】
ｃ）Ｆ１の雑種イネの幼穂を培養して雑種四倍体Ｆ１−４Ｘに倍増させて、すなわち、ＰＡ６４Ｓ×ＨＮ２０２６−２Ｘで交雑した交雑株の、二次分枝分化段階から減数分裂段階までに所属する幼穂を組織培養し、激しく増殖するカルスが形成され、次いで、カルスを二倍培養培地に移してさらに培養し、四倍体雑種イネＦ１−４Ｘに分化させた。
【００３２】
ｄ）四倍体雑種Ｆ１−４Ｘと四倍体光・温度感受性遺伝子雄性不稔系を戻し交雑させて、すなわち、上記の倍増して獲得した雑種株を用いて、開花の際に除雄を行い、そして、光・温度感受性遺伝子雄性不稔系ＰＡ６４Ｓ−４Ｘ（ＰＡ６４Ｓの幼穂により培養しＰＡ６４Ｓ−４Ｘに倍増した）と戻し交雑させて、戻し交雑１代目の雑種ＢＣ１Ｆ１を得た。
【００３３】
ｅ）戻し交雑の後代から、四倍体光・温度感受性遺伝子雄性不稔イネ株（Ｓ株、武漢）を選択した。
【００３４】
ｆ）選択し得た四倍体光・温度感受性遺伝子雄性不稔イネ株の低温短日照の可稔期における稔性を確定し、そして、夏に確定した不稔株のラウートンを海南に移して、低温短日照条件下において稔性を回復させて、自交し結実させて、ＢＣ１Ｆ２を得た。
【００３５】
ｇ）その後、ＢＣ１Ｆ２とその他のＰＭｅＳ遺伝子を有する四倍体イネ品系Ａ１７５−４Ｘ（ＨＮ２０２６の繁殖後代）とを複合交雑させて、ＲＣＦ１を得た。そして、ＲＣＦ１を自交させることによって、ＲＣＦ２（Ｆ２と略称）を得た。
【００３６】
ｈ）その中から、Ｓ株を選択し自交させてＦ３を得た。雄性不稔系をさらに自交させることによってＦ４を得た。そのように、連続して６代を自交させて、Ｆ８を得た。すなわち、武漢で不稔株を選択して、そのラウートンを海南まで持っていって、培養して、連続して６代を自交させて、Ｆ８を得た。
【００３７】
ｉ）Ｆ８代の四倍体光・温度感受性遺伝子雄性不稔系の安定性を測定して、前記安定性は、染色体数（４Ｘ＝４８であるかどうか）、葯不稔の形態学的特徴、花粉稔性、柱頭形質、光および温度条件下での稔性転換、および四倍体回復株との交雑の異型和合性及び雑種強勢を含む。
【００３８】
ｊ）該安定かつ一貫性のある四倍体イネ不稔系は、四倍体イネ光・温度感受性遺伝子雄性不稔系であることを確定した。前記ｉ）における多数の試験および比較によって選択される雄性不稔系が、安定かつ一貫性のある形態学的特徴を有しており、安定的な不稔性を有しており（不稔性１００％、不稔率９９．５％）、可稔期の結実率が高く（＞４０％）、良好な異型和合性および雑種強勢を有し、四倍体イネ光・温度感受性遺伝子雄性不稔系として決定して、ＰＳ０１２と略称した。
【００３９】
本明細書に記載のＰＭｅＳ遺伝子特徴を有する四倍体イネ２系回復系（ＰＲ００１〜ＰＲ０９８）の育種過程は、下記の通りである。
【００４０】
（１）ＰＲ００１〜ＰＲ０３６系の育種過程は、下記の通りである。
【化４】
2018533961.tif 000006
【００４１】
（２）ＰＲ０３７〜ＰＲ０６０系の育種過程は、下記の通りである。
【化５】
2018533961.tif 000007
【００４２】
（３）ＰＲ０６１〜ＰＲ０７９系の育種過程は、下記の通りである。
【化６】
2018533961.tif 000008
【００４３】
（４）ＰＲ０８０〜ＰＲ０９８系の育種過程は、下記の通りである。
【化７】
2018533961.tif 000009
【００４４】
以下、ＰＲ００３を例として、その育種過程を説明する。
【００４５】
a.２系光・温度感受性回復系特性とＰＭｅＳ遺伝子の親本の倍数体イネ育種における重要な役割を明確にした上で、四倍体イネ品系Ｄｕｒｅ（ｊａｐｏｎｉｃａｃｌｉｎｏｕｓ型）と、ＰＭｅＳ遺伝子を有する四倍体イネ品系Ｓｇ９９０１２を、回復系の最初の交雑親本として確定した。
【００４６】
b.四倍体ｊａｐｏｎｉｃａｃｌｉｎｏｕｓ型イネ品系Ｄｕｒｅを母本として、ＰＭｅＳ遺伝子を有する四倍体イネ品系Ｓｇ９９０１２を父本として、それらを交雑させて、交雑後代をさらに連続して６代目まで自交させて、その後、四倍体ジャポニカ型イネ品系ＤＴＳ５９（ＤＴＳ１７０／非脱殻インディカ型糯の後代）を父本として、複合交雑を行った。
【００４７】
c.倍数体イネ理想株のモジュール及び倍数体イネの穂大と粒大の特徴によって、育種目標を達成するイネ単株を選択し、そして、選択したイネ単株とＰＭｅＳ遺伝子を有する四倍体イネ良い品系ＨＮ３６２（ＨＮ２０２６の四倍体イネの後代）と複合交雑させて、そして、イネの高結実性、耐病性、害虫耐性、干ばつ抵抗性、品質性状に関連する分子標識を用いて、複合交雑種について分子標識の測定及びスクリーニングを行った。
【００４８】
d.複数代の自交及び選択を行って、各代目の異なる株を比較して、よりよい単株を選択して、株系の性状が大体安定するまで連続して複数代自交させた。
【００４９】
e.異なる複選株を比較して、再度イネの高結実性、耐病性、害虫耐性、干ばつ抵抗性、品質性状に関連する分子標識を用いて分子標識の測定及びスクリーニングを行って、良好な収率性能、優れた穀粒の性状、強い耐性、分子標識を有する安定株を選択し、優選株系とした。
【００５０】
f.優選株系を父本として、異なるタイプの倍数体イネ光・温度感受性遺伝子雄性不稔系と検定交雑を行った。
【００５１】
g.異なる検定交雑群の雑種について地区系の間で比較を行って、形態学的な特徴、和合性、及び雑種強勢によって、優れた形態、強い抗性、良い和合性、および強い雑種強勢を有する雑種の組み合わせおよびその回復系を選択して、該回復系は四倍体イネ２系回復系であって、ＰＲ００３と命名した。
【００５２】
本明細書に記載の育種方法にかかわる稲品系は、従来の既に公開された稲品種・稲系およびその繁殖後代から得た。具体的な情報は、下記のとおりである。
【００５３】
ＰＥＩ’ＡＩ  ６４Ｓ（ＰＡ６４Ｓ）：ＰＥＩ’ＡＩ  ６４Ｓは、母本であるＮｏｎｇｋｅｎ ５８Ｓと、父本であるＰｅｉ  ６４を交雑し、Ｆ２においてＰＥＩ’ＡＩ  ６４に類似した遺伝子不稔系株を選択し、ＰＥＩ’ＡＩ  ６４と戻し交雑して、その交配後代を長沙と海南による多世代双方向選択により育成されたインディカ型光・温度感受性遺伝子雄性不稔系である。
【００５４】
Ｎｏｎｇｋｅｎ  ５８Ｓ（ＮＫ５８Ｓ）：Ｎｏｎｇｋｅｎ  ５８Ｓは、１９７３年に、わが国の科学家Ｓｈｉ  ｓｏｎｇｍｉｎｇによりジャポニカ型イネ品種である“Ｎｏｎｇｋｅｎ  ５８”から育種し得たジャポニカ型光感受性遺伝子不稔系である。
【００５５】
Ｈｕｄａ  ９８０２Ｓ（ＨＤ９８０２Ｓ）：湖北大学生命科学院が、母本である“Ｈｕｄａ  ５１”と、父本である“赤輻早  ＨＯＮＧＦＵ  ＺＡＯ”とを交雑させて、多世代育種と低温スクリーニングによって育成された早期インディカ型イネ温度感受性遺伝性雄性不稔系である。
【００５６】
ＰＭｅＳ−１（Ｓｇ９９０１２）：湖北大学生科院により、数年のインディカ型―ジャポニカ型交雑および戻し交雑の選択および試験を通して、インディカ型―ジャポニカ型交雑の倍数体後代から選択された倍数体減数分裂安定性（ＰＭｅＳ）を有する四倍体イネ品系ＰＭｅＳ−１であり、既に文献“蔡得田、陳建国、陳冬玲ら、「２つの倍数体減数分裂安定性を有する倍数体イネ品系の育種」、中国科学，２００７，３７（２）：２１７〜２２６”に公開された。
【００５７】
ＰＭｅＳ−２（ＨＮ２０２６）：湖北大学生科院により、インディカ型―ジャポニカ型交雑の倍数体後代から育種された倍数体減数分裂安定性を有する四倍体イネ品系ＰＭｅＳ−２であり、既に文献“蔡得田、陳建国、陳冬玲ら、「２つの倍数体減数分裂安定性を有する倍数体イネ品系の育種」、中国科学，２００７，３７（２）：２１７〜２２６”に公開された。
【００５８】
ＨＮ１６４−４Ｘ：湖北大学生科院により、多倍体減数分裂安定性を有する倍数体イネ品系ＰＭｅＳ−１を親本として用いて、育種し得た減数分裂安定性と優れた農業形質を有する繁殖後代であり、倍数体イネ品系ＨＮ１６４−４Ｘである。
【００５９】
ＨＮ１２８−４Ｘ：湖北大学生科院により、多倍体減数分裂安定性を有する倍数体イネ品系ＰＭｅＳ−１を親本として用いて、育種し得た減数分裂安定性と優れた農業形質を有する繁殖後代であり、倍数体イネ品系ＨＮ１２８−４Ｘである。
【００６０】
Ａ１７５−４Ｘ：湖北大学生科院により、多倍体減数分裂安定性を有する倍数体イネ品系ＰＭｅＳ−２（ＨＮ２０２６）を親本として用いて、育種し得た減数分裂安定性と優れた農業形質を有する繁殖後代であり、倍数体イネ品系Ａ１７５−４Ｘである。
【００６１】
四倍体ジャポニカ型イネ品系Ｄｕｒｅ：本研究組により、広和合性イネ品種ＤｕｌａｒとＣ２７（瀋陽農業科学院、楊振玉研究員から提供）の交雑後代を用いて、倍増によって形成した四倍体ジャポニカ型イネである。
【００６２】
ＤＴＳ１７０：湖北大学生科院により、“レーザー４号（激光４号）”のイネ品種の雑種後代について、染色体倍増によって育種し得た四倍体インディカ型イネである。
【００６３】
ＤＴＳ５９、ＤＴＳ３２、ＤＴＳ６８、ＤＴＳ１５：ＤＴＳ１７０と“非脱殻インディカ型糯−４Ｘ”の雑種後代によって育種し得た倍数体イネ品系である。
【００６４】
ＨＮ１７２、ＨＮ１８４、ＨＮ０５４、ＨＮ２６９：湖北大学生科院により、倍数体減数分裂安定性を有する倍数体イネ品系ＰＭｅＳ−１（Ｓｇ９９０１２）を親本として育種し得た減数分裂安定性のある、農業性状も良い繁殖後代である倍数体イネ品系である。
【００６５】
ＨＮ３６２：湖北大学生科院により、倍数体減数分裂安定性のある倍数体イネ品系ＰＭｅＳ−２（ＨＮ２０２６）を親本として育種し得た減数分裂安定性のある、農業性状の良い繁殖後代である倍数体イネ品系である。
【発明の効果】
【００６６】
本発明の育種方法は、倍数体イネの強大な雑種強勢を利用し、そして、ＰＭｅＳ遺伝子品系によって倍数体イネの結実率が低いというボトルネック問題を解決し、育種し得た倍数体不稔系と回復系は、従来の二倍体雑種強勢を倍数体２系雑種イネの雑種強勢に転換し、穂も粒も大きく、かつ生産量も多い倍数体２系雑種イネ新品種を育種することができる。
【図面の簡単な説明】
【００６７】
【図１】実施例１中の四倍体２系雑種イネＰＨ０１５およびその親本の実物写真であり、その中で、左側はＰＳ００１四倍体イネ２系不稔系（母本）であり、中央は四倍体２系雑種イネＰＨ０１５であり、右側はＰＲ００５四倍体イネ２系回復系（父本）である。
【図２】実施例２中の四倍体２系雑種イネＰＨ０８３およびその親本の実物写真であり、その中で、左側はＰＳ００２四倍体イネ２系不稔系（母本）であり、中央は四倍体２系雑種イネＰＨ０８３であり、右側はＰＲ０２７四倍体イネ２系回復系（父本）である。
【図３】実施例３中の四倍体２系雑種イネＰＨ１０７およびその親本の実物写真であり、その中で、左側はＰＳ００３四倍体イネ２系不稔系（母本）であり、中央は四倍体２系雑種イネＰＨ１０７であり、右側はＰＲ０７６四倍体イネ２系回復系（父本）である。
【図４】四倍体２系雑種イネの育種現場図であり、その中で、中央の比較的低い株はＰＳ００１四倍体イネ２系不稔系（母本）であり、両側の比較的高い株は、ＰＲ００５四倍体イネ２系回復系（父本）である。
【発明を実施するための形態】
【００６８】
本発明の理解を深めるために、以下に実施例を参考にしながら本発明の内容をさらに明確に説明するが、本発明の内容は以下の実施例に限定されるものではない。
【００６９】
（実施例１）四倍体２系雑種イネＰＨ０１５の育種過程
a、ＰＭｅＳ遺伝子特性を有する四倍体イネ光・温度感受性遺伝子雄性不稔系とＰＭｅＳ遺伝子特性を有する四倍体イネ２系回復系を確定した。ＰＭｅＳ遺伝子特性を有する四倍体イネ遺伝子雄性不稔系ＰＳ００１を２系四倍体雑種を調製する組み合わせ中の不稔系として、ＰＭｅＳ遺伝子特性を有する四倍体イネ２系回復系ＰＲ００５を四倍体２系雑種イネの回復系とした。
【００７０】
b、インディカ型不稔／ジャポニカ型回復の雑種組み合わせ方式を用いることを確定して、インディカ型不稔系ＰＳ００１とジャポニカ型回復系ＰＲ００５を交雑組とした。
【００７１】
c、四倍体イネ２系不稔系ＰＳ００１について、生育期、形態性状、開花習慣、不稔と可稔の転換特性、異配和合性、及び交雑組の雑種強勢を測定し分析した。
【００７２】
d、四倍体イネ２系回復系ＰＲ００５について、生育期、形態性状、開花習慣、不稔と可稔の転換特性、異配和合性、及び交雑組の雑種強勢を測定し分析した。
【００７３】
e、四倍体イネ２系不稔系ＰＳ００１と四倍体イネ２系回復系ＰＲ００５を用いて、四倍体イネ雑種を育種した。
【００７４】
f、育種し得た四倍体イネ雑種について、生育期、形態性状、結実率、抗性、及び開花習慣を、四倍体イネ２系回復系または対照群である二倍体雑種イネと比較した。
【００７５】
g、ＰＳ００１×ＰＲ００５の組み合わせの雑種を育種した。具体的には、優れた形態性状、適切な生育期（武漢において通常の季節に植えたら、全生育期は１３５〜１３８日となる）、強い抗性、および結実率８０％以上を有し、四倍体イネ２系回復系または対照群である二倍体雑種イネより３％以上増産できる四倍体イネ雑種を選択し、四倍体２系雑種イネ組として確定して、ＰＨ０１５と命名した。
【００７６】
図１には、本実施例中の四倍体２系雑種イネＰＨ０１５およびその親本の実物写真を示し、その中で、左側はＰＳ００１四倍体イネ２系不稔系（母本）であって、中央は四倍体２系雑種イネＰＨ０１５であって、右側はＰＲ００５四倍体イネ２系回復系（父本）であった。図１からわかるように、親本と比較すれば、雑種ＰＨ０１５が、よりよい生長態勢及び分蘖能力を有し、そして、より長い穂とより多い穂粒数を有し、四倍体２系雑種イネは強大な雑種強勢を有する。
【００７７】
図４には、四倍体２系雑種イネの育種現場図を示し、その中で、中央の比較的低い株はＰＳ００１四倍体イネ２系不稔系（母本）であって、両側の比較的高い株は、ＰＲ００５四倍体イネ２系回復系（父本）であった。図４からわかるように、親本の間で花期を被らせることができ、自然に異交して良く結実することができ、四倍体２系雑種イネがフィルド育種し、大量の雑種を獲得し、大面積で生産応用することができる。
【００７８】
（実施例２）四倍体２系雑種イネＰＨ０８３の育種過程
a、ＰＭｅＳ遺伝子特性を有する四倍体イネ光・温度感受性遺伝子雄性不稔系とＰＭｅＳ遺伝子特性を有する四倍体イネ２系回復系を確定した。ＰＭｅＳ遺伝子特性を有する四倍体イネ遺伝子雄性不稔系ＰＳ００２を２系四倍体雑種を調製する組み合わせ中の不稔系として、ＰＭｅＳ遺伝子特性を有する四倍体イネ２系回復系ＰＲ０２７を四倍体２系雑種イネの回復系とした。
【００７９】
b、インディカ型不稔／ジャポニカ型回復の雑種組み合わせ方式を用いることを確定して、インディカ型不稔系ＰＳ００２とジャポニカ型回復系ＰＲ０２７を交雑組とした。
【００８０】
c、四倍体イネ２系不稔系ＰＳ００２について、生育期、形態性状、開花習慣、不稔と可稔の転換特性、異配和合性、及び交雑組の雑種強勢を測定し分析した。
【００８１】
d、四倍体イネ２系回復系ＰＲ０２７について、生育期、形態性状、開花習慣、不稔と可稔の転換特性、異配和合性、及び交雑組の雑種強勢を測定し分析した。
【００８２】
e、四倍体イネ２系不稔系ＰＳ００２と四倍体イネ２系回復系ＰＲ０２７を用いて、四倍体イネ雑種を育種した。
【００８３】
f、育種し得た四倍体イネ雑種について、生育期、形態性状、結実率、抗性、及び開花習慣を、四倍体イネ２系回復系または対照群である二倍体雑種イネと比較した。
【００８４】
g、ＰＳ００２×ＰＲ０２７の組み合わせの雑種を育種した。具体的には、優れた形態性状、適切な生育期（武漢において通常の季節に植えたら、全生育期は１３５〜１３８日となる）、強い抗性、および結実率８６％以上を有し、四倍体イネ２系回復系または対照群である二倍体雑種イネより６．８％以上増産できる四倍体イネ雑種を選択し、四倍体２系雑種イネ組として確定して、ＰＨ０８３と命名した。
【００８５】
図２には、本実施例中の四倍体２系雑種イネＰＨ０８３およびその親本の実物写真を示し、その中で、左側はＰＳ００２四倍体イネ２系不稔系（母本）であって、中央は四倍体２系雑種イネＰＨ０８３であって、右側はＰＲ０２７四倍体イネ２系回復系（父本）であった。図２からわかるように、親本と比較すれば、雑種ＰＨ０８３が、よりよい生長態勢及び分蘖能力を有して、そして、その穂長と千粒重も、親本より優れていて、四倍体２系雑種イネは強大な雑種強勢を有していることを表す。
【００８６】
（実施例３）四倍体２系雑種イネＰＨ１０７の育種過程
a、ＰＭｅＳ遺伝子特性を有する四倍体イネ光・温度感受性遺伝子雄性不稔系とＰＭｅＳ遺伝子特性を有する四倍体イネ２系回復系を確定した。ＰＭｅＳ遺伝子特性を有する四倍体イネ遺伝子雄性不稔系ＰＳ００３を２系四倍体雑種を調製する組み合わせ中の不稔系として、ＰＭｅＳ遺伝子特性を有する四倍体イネ２系回復系ＰＲ０７６を四倍体２系雑種イネの回復系とした。
【００８７】
b、インディカ型不稔／ジャポニカ型回復の雑種組み合わせ方式を用いることを確定して、インディカ型不稔系ＰＳ００３とジャポニカ型回復系ＰＲ０７６を交雑組とした。
【００８８】
c、四倍体イネ２系不稔系ＰＳ００３について、生育期、形態性状、開花習慣、不稔と可稔の転換特性、異配和合性、及び交雑組の雑種強勢を測定し分析した。
【００８９】
d、四倍体イネ２系回復系ＰＲ０７６について、生育期、形態性状、開花習慣、不稔と可稔の転換特性、異配和合性、及び交雑組の雑種強勢を測定し分析した。
【００９０】
e、四倍体イネ２系不稔系ＰＳ００３と四倍体イネ２系回復系ＰＲ０７６を用いて、四倍体イネ雑種を育種した。
【００９１】
f、育種し得た四倍体イネ雑種について、生育期、形態性状、結実率、抗性、及び開花習慣を、四倍体イネ２系回復系または対照群である二倍体雑種イネと比較した。
【００９２】
g、ＰＳ００３×ＰＲ０７６の組み合わせの雑種を育種した。具体的には、優れた形態性状、適切な生育期（武漢において通常の季節に植えたら、全生育期は１３４〜１３６日となる）、強い抗性、および結実率８４％以上を有し、四倍体イネ２系回復系または対照群である二倍体雑種イネより４．８％以上増産できる四倍体イネ雑種を選択し、四倍体２系雑種イネ組として確定して、ＰＨ１０７と命名した。
【００９３】
図３には、本実施例中の四倍体２系雑種イネＰＨ１０７およびその親本の実物写真を示し、その中で、左側はＰＳ００３四倍体イネ２系不稔系（母本）であって、中央は四倍体２系雑種イネＰＨ１０７であって、右側はＰＲ０７６四倍体イネ２系回復系（父本）であった。図３からわかるように、親本と比較すれば、雑種ＰＨ１０７が、よりよい生長態勢及び分蘖能力を有して、そして、その穂長と千粒重も、親本より優れていて、四倍体２系雑種イネは強大な雑種強勢を有していることを表す。
【００９４】
上記の実施例は、本発明を明確に例示するためのものに過ぎず、実施形態を限定するものではない。当業者にとっては、上記の説明に基づいて他の変形または変更を行うことができる。ここで、すべての実施態様を例示する必要性も可能性もない。したがって、それから導き出された明らかな変化または変形は、依然として本発明の保護範囲内に属する。
【００９５】
（付記）
（付記１）
ア）ＰＭｅＳ遺伝子特性を有する四倍体イネ光・温度感受性遺伝子雄性不稔系とＰＭｅＳ遺伝子特性を有する四倍体イネ２系回復系を確定することと、
イ）インディカ型不稔／ジャポニカ型回復、または、ジャポニカ型不稔／インディカ型回復の雑種の組み合わせを用いて、インディカ型不稔系とジャポニカ型回復系、または、ジャポニカ型不稔系とインディカ型回復系を交雑組とすることと、
ウ）前記ア）に記載の四倍体イネ光・温度感受性遺伝子雄性不稔系について、生育期、形態性状、開花習慣、不稔と可稔の転換特性、異配和合性、及び交雑組の雑種強勢を測定し分析することと、
エ）前記ア）に記載の四倍体イネ２系回復系について、生育期、形態性状、開花習慣、不稔と可稔の転換特性、異配和合性、及び交雑組の雑種強勢を測定し分析することと、
オ）異なる四倍体イネ光・温度感受性遺伝子雄性不稔系と四倍体イネ２系回復系を選択し、異なる組み合わせの四倍体イネ雑種を育成することと、
カ）前記オ）で育成し得た異なる組み合わせの四倍体イネ雑種について、生育期、形態性状、結実率、抗性、及び開花習慣を四倍体イネ２系回復系または対照群である二倍体雑種イネと比較することと、
キ）優れた形態性状、適切な生育期、強い抗性、および結実率８０％以上を有し、四倍体イネ２系回復系または対照群である二倍体雑種イネより３％以上増産できる四倍体イネ雑種を選択し、四倍体２系雑種イネ組として確定することと、
を含むことを特徴とする倍数体２系雑種イネの育種方法。
【００９６】
（付記２）
前記ＰＭｅＳ遺伝子特性を有する四倍体イネ光・温度感受性遺伝子雄性不稔系は、ＰＳ００１、ＰＳ００２、ＰＳ００３、ＰＳ００４、ＰＳ００５、ＰＳ００６、ＰＳ００７、ＰＳ００８、ＰＳ００９、ＰＳ０１０、ＰＳ０１１、ＰＳ０１２、ＰＳ０１３、ＰＳ０１４、ＰＳ０１５、ＰＳ０１６、ＰＳ０１７、ＰＳ０１８、ＰＳ０１９、ＰＳ０２０、ＰＳ０２１、ＰＳ０２２、ＰＳ０２３、ＰＳ０２４、ＰＳ０２５、ＰＳ０２６、ＰＳ０２７、ＰＳ０２８、ＰＳ０２９、ＰＳ０３０、ＰＳ０３１、ＰＳ０３２、ＰＳ０３３、ＰＳ０３４、ＰＳ０３５、ＰＳ０３６、ＰＳ０３７、ＰＳ０３８、ＰＳ０３９、ＰＳ０４０、ＰＳ０４１、ＰＳ０４２、ＰＳ０４３、ＰＳ０４４、ＰＳ０４５、ＰＳ０４６、ＰＳ０４７、ＰＳ０４８、ＰＳ０４９、ＰＳ０５０、ＰＳ０５１、ＰＳ０５２、ＰＳ０５３、ＰＳ０５４、ＰＳ０５５、ＰＳ０５６、ＰＳ０５７、ＰＳ０５８、ＰＳ０５９、ＰＳ０６０、ＰＳ０６１、ＰＳ０６２、ＰＳ０６３、ＰＳ０６４、ＰＳ０６５、ＰＳ０６６、ＰＳ０６７、またはＰＳ０６８という６８種の品系から選択されることを特徴とする付記１に記載の倍数体２系雑種イネの育種方法。
【００９７】
（付記３）
前記ＰＭｅＳ遺伝子特性を有する四倍体イネ光・温度感受性遺伝子雄性不稔系は、ＰＳ００１、ＰＳ００２、またはＰＳ００３から選択されることを特徴とする付記２に記載の倍数体２系雑種イネの育種方法。
【００９８】
（付記４）
前記ＰＭｅＳ遺伝子特性を有する四倍体イネ２系回復系は、ＰＲ００１、ＰＲ００２、ＰＲ００３、ＰＲ００４、ＰＲ００５、ＰＲ００６、ＰＲ００７、ＰＲ００８、ＰＲ００９、ＰＲ０１０、ＰＲ０１１、ＰＲ０１２、ＰＲ０１３、ＰＲ０１４、ＰＲ０１５、ＰＲ０１６、ＰＲ０１７、ＰＲ０１８、ＰＲ０１９、ＰＲ０２０、ＰＲ０２１、ＰＲ０２２、ＰＲ０２３、ＰＲ０２４、ＰＲ０２５、ＰＲ０２６、ＰＲ０２７、ＰＲ０２８、ＰＲ０２９、ＰＲ０３０、ＰＲ０３１、ＰＲ０３２、ＰＲ０３３、ＰＲ０３４、ＰＲ０３５、ＰＲ０３６、ＰＲ０３７、ＰＲ０３８、ＰＲ０３９、ＰＲ０４０、ＰＲ０４１、ＰＲ０４２、ＰＲ０４３、ＰＲ０４４、ＰＲ０４５、ＰＲ０４６、ＰＲ０４７、ＰＲ０４８、ＰＲ０４９、ＰＲ０５０、ＰＲ０５１、ＰＲ０５２、ＰＲ０５３、ＰＲ０５４、ＰＲ０５５、ＰＲ０５６、ＰＲ０５７、ＰＲ０５８、ＰＲ０５９、ＰＲ０６０、ＰＲ０６１、ＰＲ０６２、ＰＲ０６３、ＰＲ０６４、ＰＲ０６５、ＰＲ０６６、ＰＲ０６７、ＰＲ０６８、ＰＲ０６９、ＰＲ０７０、ＰＲ０７１、ＰＲ０７２、ＰＲ０７３、ＰＲ０７４、ＰＲ０７５、ＰＲ０７６、ＰＲ０７７、ＰＲ０７８、ＰＲ０７９、ＰＲ０８０、ＰＲ０８１、ＰＲ０８２、ＰＲ０８３、ＰＲ０８４、ＰＲ０８５、ＰＲ０８６、ＰＲ０８７、ＰＲ０８８、ＰＲ０８９、ＰＲ０９０、ＰＲ０９１、ＰＲ０９２、ＰＲ０９３、ＰＲ０９４、ＰＲ０９５、ＰＲ０９６、ＰＲ０９７、またはＰＲ０９８という９８種の品系から選択されることを特徴とする付記１に記載の倍数体２系雑種イネの育種方法。
【００９９】
（付記５）
前記ＰＭｅＳ遺伝子特性を有する四倍体イネ２系回復系は、ＰＲ００５、ＰＲ０２７、またはＰＲ０７６から選択されることを特徴とする付記４に記載の倍数体２系雑種イネの育種方法。
【０１００】
（付記６）
前記キ）に記載の対照群である二倍体雑種は、豊両優４号であることを特徴とする付記１に記載の倍数体２系雑種イネの育種方法。
【０１０１】
（付記７）
染色体２ｎ＝４Ｘ＝４８であり、生長がよく、分蘖が多く、イネの穂が長く、穂粒数が多く、抗性が強く、結実率が８０％以上であるという特徴を有し、ＰＨＸＸＸと命名され、その中で、ＸＸＸは３位数字である付記１乃至６の何れか１つに記載の倍数体２系雑種イネの育種方法によって育種し得る四倍体雑種イネ。
【図１】
2018533961.tif 000010
【図２】
2018533961.tif 000011
【図３】
2018533961.tif 000012
【図４】
2018533961.tif 000013
【国際調査報告】
2018533961.tif 000014
2018533961.tif 000015
2018533961.tif 000016
2018533961.tif 000017
2018533961.tif 000018
2018533961.tif 000019